(57)【要約】      （修正有）【課題】収納物の取出用治具に関し、一対の挟持部の表面の少なくと一部に低摩擦部を形成することで、ケースの取出口への差し込み性、並びにケース内からの収納物の取り出し性を改善することができるようにしたものである。【解決手段】ケース３０の少なくとも一面の取出口から差し込まれ、ケース内に収納された収納物２０を挟んで取り出すためのケース内からの収納物の取出用治具１０である。治具は、取出口からケースと収納物との間に差し込み可能であり、当該収納物の互いに背向する一対の面を挟み持つことが可能な相対向する少なくとも一対の挟持部６０と、一対の挟持部の相対向する両基端部を開閉可能に互いに連結する連結部７０と、一対の挟持部の表面の少なくと一部に形成された低摩擦部（例えば外皮部材５０）とを有する。【選択図】図１
2012006107.tif 000002
【特許請求の範囲】
【請求項１】
収納物が収納されたケースであって、当該ケースの少なくとも一面の取出口から差し込まれ、前記ケース内に収納された収納物を挟んで取り出すためのケース内からの収納物の取出用治具であって、
前記治具は、
前記取出口から前記ケースと前記収納物との間に差し込み可能であり、当該収納物の互いに背向する一対の面を挟み持つことが可能な相対向する少なくとも一対の挟持部と、
前記一対の挟持部の相対向する両基端部を開閉可能に互いに連結する連結部と、
前記一対の挟持部の表面の少なくと一部に形成された低摩擦部とを有する収納物の取出用治具。
【請求項２】
前記低摩擦部は、
前記一対の挟持部及び連結部とは別体に構成された外皮部材から成り、
前記外皮部材は、
前記ケースの内面と接する前記一対の挟持部の外面および前記収納物と接する前記一対の挟持部の内面の少なくとも一方に設けられている請求項１に記載の収納物の取出用治具。
【請求項３】
前記一対の挟持部の少なくとも一方の挟持部には、
他方の挟持部に向かって突出する突起部を設けている請求項１又は請求項２に記載の収納物の取出用治具。
【請求項４】
前記突起部には、
前記一方の挟持部の先端部から前記両基端部に向かって突出量を増加させ、斜めに傾斜した傾斜面を設けている請求項３に記載の収納物の取出用治具。
【請求項５】
前記一対の挟持部及び前記連結部は、
弾性を有する合成樹脂で一体的に成形されている請求項１〜４のいずれか１項に記載の収納物の取出用治具。
【発明の詳細な説明】
【技術分野】
【０００１】
この発明は、収納物の取出用治具に関し、一対の挟持部の表面の少なくと一部に低摩擦部を形成することで、ケースの取出口への差し込み性、並びにケース内からの収納物の取り出し性を改善することができるようにしたものである。
【背景技術】
【０００２】
従来、高摩擦係数の摩擦部材を有するウエハ用ピンセット（特許文献１）や、ゴム材質を使用し、摩擦抵抗を利用したドリンク類を梱包箱から取り出す挟み器具（特許文献２）が知られている。
【先行技術文献】
【特許文献】
【０００３】
【特許文献１】特開2001-168181号公報
【特許文献２】特開2003-334772号公報
【発明の概要】
【発明が解決しようとする課題】
【０００４】
しかし、上記した従来のピンセットや挟み器具は、いずれも摩擦抵抗を利用してケース内の収納物を取り出そうとしたものであるが、摩擦抵抗が高いと、ケースと収納物との間の隙間内への差し込みが困難になり、収納物の取出作業の迅速性が損なわれるという問題点があった。
本発明は、上記した問題点に着目し、ケースの取出口への差し込み性、並びにケース内からの収納物の取り出し性を改善することを目的とする。
【０００５】
すなわち、本発明は、一対の挟持部の表面の少なくと一部に低摩擦部を形成することで、一対の挟持部をケースと収納物との間の隙間内への差し込み易くすることができるようしたものである。
これに加え、本発明は、低摩擦部を形成することで、収納物をケース内から取り出す際にも、滑らせるように収納物を取り出すことできるようしたものである。
【０００６】
また、本発明は、ケースの内面と接する一対の挟持部の外面に低摩擦材質を使用することで、挟持部の外面とケースの内面との間の摩擦抵抗を減少することができるようしたものである。例えば、ケースの内面に収納物の外面が張り付いている場合にも、一対の挟持部を無理なく差し込むことができる。
【０００７】
本発明は、収納物と接する一対の挟持部の内面に低摩擦材質を使用することで、挟持部の外面と収納物の外面との間の摩擦抵抗を減少することができるようしたものである。
【０００８】
本発明は、一対の挟持部の少なくとも一方の挟持部に突起部を設けることで、収納物をケース内から取り出す際に、収納物を確実に挟み持つことができるようしたものである。
【０００９】
本発明は、突起部に傾斜面を設けることで、挟持部をケース内に差し込む際の摩擦抵抗の増加を低減することできるようしたものである。
【００１０】
本発明は、一対の挟持部及び連結部を弾性を有する合成樹脂で一体的に成形することで、構造及び製造を簡便にすることできるようしたものである。
【課題を解決するための手段】
【００１１】
各請求項にそれぞれ記載された各発明は、上記した各目的を達成するためになされたものであり、各発明の特徴点を以下に説明する。
本発明は、収納物が収納されたケースであって、当該ケースの少なくとも一面の取出口から差し込まれ、ケース内に収納された収納物を挟んで取り出すためのケース内からの収納物の取出用治具である。
【００１２】
これに加えて、本発明は、治具に、取出口からケースと収納物との間に差し込み可能であり、当該収納物の互いに背向する一対の面を挟み持つことが可能な相対向する少なくとも一対の挟持部と、一対の挟持部の相対向する両基端部を開閉可能に互いに連結する連結部と、一対の挟持部の表面の少なくと一部に形成された低摩擦部とを有する。
【００１３】
また、本発明は、低摩擦部が、一対の挟持部及び連結部とは別体に構成された外皮部材から成り、外皮部材は、ケースの内面と接する一対の挟持部の外面および収納物と接する一対の挟持部の内面の少なくとも一方に設けられている。
【００１４】
本発明は、一対の挟持部の少なくとも一方の挟持部に、他方の挟持部に向かって突出する突起部を設けている。
【００１５】
本発明は、突起部に、一方の挟持部の先端部から両基端部に向かって突出量を増加させ、斜めに傾斜した傾斜面を設けている。
【００１６】
本発明は、一対の挟持部及び連結部が、弾性を有する合成樹脂で一体的に成形されている。
【発明の効果】
【００１７】
本発明は、以上のように構成されているので、以下に記載されるような効果を奏する。
本発明によれば、ケースの取出口への差し込み性、並びにケース内からの収納物の取り出し性を改善することができる。
【図面の簡単な説明】
【００１８】
【図１】収納物を収納したケース及び取出用治具の斜視図である。
【図２】治具の側面図である。
【図３】収納物及び蓋部を解放したケースの断面図である。
【図４】治具を差し込んだ状態のケースの断面図である。
【図５】治具を差し込んだ状態のケースの斜視図である。
【図６】ケース及び収納物を挟んで取り出した状態の治具の断面図である。
【図７】ケース及び収納物を挟んで取り出した状態の治具の斜視図である。
【発明を実施するための形態】
【００１９】
図１及び図２中、10は、取出用治具であり、当該治具10は、図５及び図６に示すように、収納物20が収納されたケース30内から当該収納物20を取り出すためのものである。
治具10は、図１及び２に示すように、大別すると、次のパーツから構成されている。
なお、次の（１）及び（２）については、後述する。
（１）治具本体40
（２）外皮部材50（低摩擦部）
なお、治具10のパーツは、上記した（１）及び（２）に限定されず、例えば（１）及び（２）を一体的に形成しても良い。
【００２０】
（収納物20）
収納物20は、図示しないが、例えば携帯情報機器の収納ケースであり、開閉可能な中空の箱形に形成されている。収納物20は、携帯情報機器の保護のため、内部にクッション材を使用され、外部が全体的に柔らかな材質を使用したソフトタイプと、比較的硬質な材質を使用したセミハードタイプがある。ソフトタイプは、外面がナイロン繊維で覆われている。また、セミハードタイプは、外面が合成皮や天然皮等で覆われている。
【００２１】
なお、収納物20として、携帯情報機器の収納ケースを例示したが、これに限定されない。また、収納物20のタイプとして、ソフトタイプやセミハードタイプを例示したが、これらに限定されず、ハードタイプを用意しても良い。また、収納物20の外面の材質として、ナイロン繊維、合成皮、天然皮を例示したが、これらに限定されない。
具体的には、収納物20は、図３に示すように、大別すると、次の各部を備える。
【００２２】
なお、収納物20の各部は、次の（１）〜（３）に限定されない。
（１）本体部21
本体部21は、図３に示すように、収納物20の厚さ方向の片側に位置し、図示しないが、内部には携帯情報機器がはまり込む凹部を形成している。
【００２３】
（２）蓋体部22
蓋体部22は、図３に示すように、本体部21に開閉可能に連結され、収納物20の厚さ方向の他の片側に位置する。蓋体部22の内部には、本体部21の凹部と対向する凹部を有し、両者の凹部を向かい合わせた内側に、携帯情報機器が全体としてはまり込むようにしている。
【００２４】
（３）ファスナー23
ファスナー23は、図３に示すように、本体部21と蓋体部22とを閉じた状態に留め付けるものであり、例えば開閉可能な線ファスナーが使用されている。
なお、ファスナー23として、線ファスナーを例示したが、これに限定されず、面ファスナーや、或いはボタンや紐等を使用しても良い。
【００２５】
（ケース30）
ケース30は、図１及び図３に示すように、収納物20を収納可能なものであり、中空な箱形に形成され、少なくとも一面に取出口31を有している。
ケース30は、例えば透明なＰＥＴ（ポリエチレンテレフタレート）等のシートを所定の形状とし、これを折り曲げて組み立てることにより形成されている。
なお、ケース30を、透明シートから形成したが、これに限定されず、半透明、不透明なシートから形成しても良い。また、ケース30に、ＰＥＴを使用したが、これに限定されず、他の合成樹脂や厚紙等を使用しても良い。
【００２６】
具体的には、ケース30は、図１及び図３に示すように、六面体から構成され、取出口31のほか、前面部32、後面部33、一対の側面部34、底面部35、つり下げ部36、取出口31を開閉する蓋部37、一対のフラップ38とから構成されている。
【００２７】
（治具本体40）
治具本体40は、図４〜７に示すように、ケース30の取出口36から差し込まれ、ケース30内に収納された収納物20を挟んで取り出すためのものである。
治具本体40は、適度な弾性と剛性とを有する、例えばウレタンフォームのシート材を略Ｕ字形に折り曲げて形成している。
なお、治具本体40に、ウレタンフォームを使用したが、これに限定されず、他の合成樹脂や、板金、厚紙等を使用しても良い。また、治具本体40の形状として、略Ｕ字形を例示したが、これに限定されず、例えば略Ｖ字形等に形成しても良い。また、治具本体40を、シート材を略Ｕ字形に折り曲げて形成したが、これに限定されず、略Ｕ字形に熱可塑性の合成樹脂で一体成形しても良い。
【００２８】
具体的には、治具本体40は、図１及び図３に示すように、大別すると、次の各部を備える。
なお、次の（１）及び（２）については後述する。
（１）挟持部60
（２）連結部70
なお、治具本体40の各部は、上記した（１）及び（２）に限定されない。
【００２９】
（挟持部60）
挟持部60は、図１及び図３に示すように、相対向して少なくとも一対有り、取出口36からケース30と収納物20との間に差し込み可能であり、当該収納物20の互いに背向する一対の面を挟み持つことが可能なものである。
なお、挟持部60を一対形成したが、これに限定されず、３枚以上でも良い。
挟持部60は、その横幅をケース30の取出口36の開口幅以下に設定している。また、挟持部60の差し込み方向の長さを、ケース30の内部の奥行き以下に設定している。
なお、挟持部60の差し込み方向の長さを、ケース30の内部の奥行き以下に設定していることから、図４及び図５に示すように、治具本体40をケース30内に収納することも可能である。挟持部60の差し込み方向の長さを、ケース30の内部の奥行き以下に設定したが、ケース30の内部の奥行きと等しく設定したり、或いはケース30の内部の奥行きより長く設定しても良い。
【００３０】
具体的には、挟持部60には、図１及び図３に示すように、次の各部を備える。
なお、挟持部60の各部は、次の（１）に限定されない。
（１）突起部61
突起部61は、図１及び図３に示すように、一対の挟持部60の少なくとも一方の挟持部60に位置し、当該一方の挟持部60から他方の挟持部60に向かって突出するものである。
また、突起部61に、一方の挟持部60の先端部から両基端部に向かって突出量を増加させ、斜めに傾斜した傾斜面62を設けている。
具体的には、突起部61は、図１及び図３に示すように、一対の挟持部60の両方にそれぞれ形成され、挟持部60の先端部の対向する内面にそれぞれ位置する。突起部61は、断面が略直角三角形形に形成され、傾斜面62を挟持部60の先端部側に位置させ、切り立った立上面63を連結部70に向けて位置させている。
なお、突起部61を、断面が略直角三角形形に形成したが、これに限定されない。
【００３１】
（連結部70）
連結部70は、図１及び図３に示すように、一対の挟持部60の相対向する両基端部を開閉可能に互いに連結するものである。
具体的には、連結部70は、シート材を略Ｕ字形に折り曲げた際の略Ｕ字形の折れ曲がった部分を連結部70としている。
なお、連結部70を、一対の挟持部60とともに１枚のシート材から形成したが、これに限定されず、連結部70と一対の挟持部60とを別体とし、個別に形成しても良い。
【００３２】
（外皮部材50）
外皮部材50は、低摩擦材質から構成され、図１及び図３に示すように、一対の挟持部の表面の少なくと一部を覆うように形成されたものであり、低摩擦部を構成する。
なお、低摩擦部は、外皮部材50から構成したが、これに限定されず、治具本体40と別体に形成することなく、治具本体40と一体形成するようにしても良い。
外皮部材50は、ケース30の内面と接する一対の挟持部60の外面および収納物20と接する一対の挟持部60の内面の少なくとも一方に設けられている。
具体的には、外皮部材50は、ＰＶＣ（ポリ塩化ビニル）製のシート材を、治具本体40の全面に貼り付けている。
なお、外皮部材50に、ＰＶＣ（ポリ塩化ビニル）を使用したが、これに限定されず、他の合成樹脂を使用しても良い。また、外皮部材50を、治具本体40の全面に貼り付けたが、これに限定されない。例えば、一対の挟持部60の互いに背向する外面にのみ、外皮部材50を貼り付けた場合には、ケース30の内面との間の摩擦抵抗を軽減することができる。また、一対の挟持部60の互いに対向する内面にのみ、外皮部材50を貼り付けた場合には、収納物20の外面との間の摩擦抵抗を軽減することができる。
【００３３】
（治具10の使用方法）
上記した構成を有する治具10の使用方法について説明する。
まず、図３に示すように、ケース30の蓋部37を開き、取出口36を解放させる。
つぎに、図４及び図５に示すように、治具10を取出口36からケース30内に差し込む。
このとき、一対の挟持部60の突起部61が、ケース30の内面と収納物20の外面との間に差し込まれる。
一対の挟持部60をケース30の奥に向かって更に差し込むと、突起部61の傾斜面62により、ケース30の内面と収納物20の外面との間の隙間が押し開かれ、一対の挟持部60をケース30の奥に向かって進行する。
その後、連結部70迄、ケース30に差し込み、連結部70の内側に指を引っ掛ける等して、図６及び図７に示すように、治具10を取出口36から引き抜く。
このとき、突起部61の立上面63に、収納物20が引っ掛かるようにして、両突起部61に挟み持たれた状態で、治具10と一体的に収納物20が取出口36から引き出される。
治具10を引き抜き、一対の挟持部60の間から収納物20を取り出すことで、治具10を介してケース30内から収納物20を取り出すことができる。
【符号の説明】
【００３４】
10  取出用治具            20  収納物
21  本体部                22  蓋体部
23  ファスナー            30  ケース
31  取出口                32  前面部
33  後面部                34  側面部
35  底面部                36  つり下げ部
37  蓋部                  38  フラップ
40  治具本体              50  外皮部材（低摩擦部）
60  挟持部
61  突起部                62  傾斜面
63  立上面                70  連結部
【図１】
2012006107.tif 000003
【図２】
2012006107.tif 000004
【図３】
2012006107.tif 000005
【図４】
2012006107.tif 000006
【図５】
2012006107.tif 000007
【図６】
2012006107.tif 000008
【図７】
2012006107.tif 000009